(57)【要約】【課題】噴孔の出口側への析出物の析出を低減するとともに、析出物が析出したとしてもその析出物を除去し、析出物の堆積による噴孔の目詰まりおよび不適切な方向への尿素水の噴射を低減する尿素水供給装置を提供する。【解決手段】水噴射ノズル３５は、尿素水を噴射する噴射ノズル２５と対向して設けられている。そのため、水噴射ノズル３５から噴射された水は、噴射ノズル２５の噴孔２８の出口側に吹き付けられる。これにより、噴孔２８の出口側に付着した尿素水は吹き付けられた水で洗浄される。これとともに、噴孔２８の出口側に析出および堆積した析出物は、吹き付けられた水に溶解するだけでなく、吹き付けられた水の物理的なエネルギーによって破壊される。その結果、噴孔２８の出口側への析出物の析出が低減され、析出物が析出したとしてもその析出物が除去される。【選択図】図１
2010090836.tif 000002
【特許請求の範囲】
【請求項１】
内燃機関の排気通路を流れる排気に尿素水を供給する尿素水供給装置であって、
前記排気通路に露出する先端に尿素水を噴射する噴孔を有する尿素水噴射ノズルと、
前記噴孔に向けて水を噴射する水噴射部と、
を備えることを特徴とする尿素水供給装置。
【請求項２】
前記水噴射部に、圧力を可変して水を供給する水供給部をさらに備えることを特徴とする請求項１記載の尿素水供給装置。
【請求項３】
前記水噴射部は、前記尿素水噴射ノズルから尿素水の噴射が終了すると、水を噴射することを特徴とする請求項１または２記載の尿素水供給装置。
【請求項４】
前記水供給部は、前記排気通路を流れる排気の温度が高くなるほど、供給する水の圧力を高くすることを特徴とする請求項２記載の尿素水供給装置。
【請求項５】
前記水噴射部は、前記噴孔に対向して設けられていることを特徴とする請求項１から４のいずれか一項記載の尿素水供給装置。
【請求項６】
前記水噴射部は、前記噴孔の径方向外側に設けられていることを特徴とする請求項１から４のいずれか一項記載の尿素水供給装置。
【発明の詳細な説明】
【技術分野】
【０００１】
本発明は、内燃機関の排気通路を流れる排気に尿素水を供給する尿素水供給装置に関する。
【背景技術】
【０００２】
内燃機関、特にディーゼルエンジンから排出されるＮＯｘを還元する排気浄化装置として、ＳＣＲ（Selective Catalytic Reduction）システムが公知である。ＳＣＲシステムを用いた排気浄化装置は、例えば尿素やアンモニアなどを還元剤として噴射することにより、排気に含まれるＮＯｘを選択的に水や窒素に還元する。尿素水に含まれる尿素は、水分の蒸発や排気の熱による化学変化などにより、水に可溶または水に不溶の析出物を生成する。析出物は、排気通路を形成する排気管部や尿素水噴射ノズルなどに堆積し、動作不良の原因となる。そこで、特許文献１では、尿素水を供給する尿素水経路に洗浄のための水を供給し、尿素水経路に堆積した析出物の除去を図っている。
【０００３】
しかしながら、析出物は、尿素水経路に限らず、尿素水を噴射する尿素水噴射ノズルの噴孔、特に噴孔の出口側にも堆積する。そのため、尿素水経路に水を供給しても、噴孔の出口側に堆積した析出物の除去は困難である。このように噴孔の出口側に析出物が堆積すると、噴孔を塞いだり、噴孔からの尿素水の噴射方向が不適切な方向へ変化するという問題がある。
【特許文献１】特開２００５−２４８９２４号公報
【発明の開示】
【発明が解決しようとする課題】
【０００４】
そこで、本発明の目的は、噴孔の出口側への析出物の析出を低減するとともに、析出物が析出したとしてもその析出物を除去し、析出物の堆積による噴孔の目詰まりおよび不適切な方向への尿素水の噴射を低減する尿素水供給装置を提供することにある。
【課題を解決するための手段】
【０００５】
請求項１記載の発明では、噴孔に向けて水を噴射する水噴射部を備えている。そのため、水噴射部から噴射された水は、噴孔の出口側に吹き付けられる。そのため、噴孔の出口側に析出した析出物は、水の物理的なエネルギーによって破壊または除去される。また、例えば噴孔からの尿素水の噴射が終了した後に水噴射部から水を噴射することにより、噴孔の出口側は水によって洗浄される。そのため、噴孔の出口側における析出物は低減される。したがって、噴孔の出口側の析出物を低減することができ、析出物が析出したとしてもその析出物を除去することができる。これにより、析出物の堆積による噴孔の目詰まりおよび不適切な方向への尿素水の噴射を低減することができる。
【０００６】
請求項２記載の発明では、水の圧力を可変して水噴射部に供給する水供給部を備えている。これにより、水噴射部から噴射される水の圧力は変化する。したがって、例えば噴孔の出口側に堆積する析出物の状態などに応じて噴射する水の圧力を変更することができる。
請求項３記載の発明では、尿素水噴射ノズルから尿素水の噴射が終了すると、水噴射部は水を噴射する。そのため、尿素水の噴射後に噴孔の出口側に付着した尿素水は、水噴射部から噴射された水によって除去される。したがって、噴孔の出口側への析出物の堆積を低減することができる。
【０００７】
請求項４記載の発明では、水供給部は、排気通路を流れる排気の温度が高くなるほど、供給する水の圧力を高める。排気通路を流れる排気の温度は、内燃機関の負荷によって変化する。例えば内燃機関の負荷が大きなとき、内燃機関に供給される燃料の量は増大し、各燃焼室における混合気の燃焼温度も上昇する。そのため、排気の温度は、内燃機関の負荷が大きくなるほど、上昇する。一方、排気の温度が上昇すると、ＮＯｘの生成量が増大するため、尿素水の噴射量も増加する。このように尿素水の噴射量が増加すると、噴孔の出口側に付着する尿素水、および析出する析出物も増加する。そこで、圧力の高い水を噴孔へ向けて噴射することにより、付着量が増加した尿素水の洗浄、および析出量の増加した析出物の除去が促進される。したがって、内燃機関の運転に応じて、噴孔の出口側の洗浄および析出物の除去を図ることができる。
【０００８】
請求項５記載の発明では、噴孔に対向して設けられている水噴射部から水が噴射される。これにより、水噴射部から噴射された水は、容易かつ確実に噴孔に吹き付けられる。したがって、噴孔の出口側を洗浄および析出した析出物を除去することができる。
請求項６記載の発明では、噴孔の径方向外側に設けられている水噴射部から水が噴射される。これにより、水噴射部から噴射された水は、容易かつ確実に噴孔に吹き付けられる。また、噴孔と水噴射部とは近接して配置される。したがって、噴孔の出口側を洗浄および析出した析出物を除去することができる。
【発明を実施するための最良の形態】
【０００９】
以下、本発明による尿素水供給装置の複数の実施形態を図面に基づいて説明する。なお、複数の実施形態において実質的に同一の構成部位には同一の符号を付し、説明を省略する。
（第１実施形態）
本発明の第１実施形態による尿素水供給装置（以下、「供給装置」という。）を適用した排気浄化システムを図１に示す。排気浄化システム１０は、供給装置１１を備えている。排気浄化システム１０は、供給装置１１から排気へ供給される尿素水を用いて図示しない内燃機関の排気管部１３を流れる排気に含まれるＮＯｘを還元する。内燃機関は、例えばディーゼルエンジンをはじめとして、ガソリンエンジンあるいはガスタービンエンジンなどが適用される。排気管部１３は、一方の端部が図示しない内燃機関に接続している。また、排気管部１３は、内燃機関と反対側の端部が大気に開放されている。排気管部１３は、筒状であり、内燃機関の排気を大気へ放出するための排気通路１４を形成している。排気浄化システム１０は、排気の流れ方向において供給装置１１よりも下流側に図示しないＳＣＲ触媒を備えている。排気浄化システム１０は、ＳＣＲ触媒だけでなく、図示しない酸化触媒、三元触媒、アンモニア酸化触媒あるいはＤＰＦ（Diesel Particulate Filter）など各種の触媒やフィルタを備えていてもよい。
【００１０】
供給装置１１は、尿素水噴射部１５および水噴射部１６から構成されている。尿素水噴射部１５は、尿素水タンク２１、尿素水ポンプ２２、開閉弁２３、尿素水管部２４および尿素水噴射ノズル（以下、「噴射ノズル」という。）２５を備えている。尿素水タンク２１は、尿素水すなわち尿素の水溶液を貯える。尿素水ポンプ２２は、尿素水タンク２１に貯えられている尿素水を噴射ノズル２５へ供給する。開閉弁２３は、尿素水ポンプ２２から噴射ノズル２５への尿素水の供給を断続する。尿素水管部２４は、尿素水タンク２１と噴射ノズル２５との間を接続する尿素水通路２６を形成している。
【００１１】
尿素水管部２４は、排気通路１４を形成する排気管部１３を貫いている。噴射ノズル２５は、図２に示すように尿素水管部２４の排気通路１４側の端部に接続している。噴射ノズル２５は、内側に尿素水通路２６に接続するノズル通路２７、および先端に尿素水を噴射する噴孔２８を形成している。噴孔２８は、ノズル通路２７の先端に位置し、排気通路１４に露出している。噴射ノズル２５は、排気通路１４における排気の流れ方向において図示しない内燃機関よりも下流側であって、図示しないＳＣＲ触媒よりも上流側に設けられている。噴射ノズル２５は、排気通路１４を流れる排気に尿素水を噴射する。これにより、噴射ノズル２５から噴射された尿素水は、排気に混合されて図示しないＳＣＲ触媒へ流入する。本実施形態の場合、噴射ノズル２５は、排気管部１３を径方向へ貫く尿素水管部２４の端部からＳＣＲ触媒側へ排気管部１３の軸方向へ延びている。これにより、尿素水は、噴射ノズル２５から排気の流れに沿って下流側すなわちＳＣＲ触媒へ向けて噴射される。
【００１２】
水噴射部１６は、図１に示すように水タンク３１、水ポンプ３２、開閉弁３３、水管部３４および水噴射ノズル３５を有している。水タンク３１は、水を貯える。水ポンプ３２は、水タンク３１に貯えられている水を水噴射ノズル３５へ供給する。開閉弁３３は、水ポンプ３２から水噴射ノズル３５への水の供給を断続する。水管部３４は、水タンク３１と水噴射ノズル３５との間を接続する水通路３６を形成している。水タンク３１、水ポンプ３２、開閉弁３３および水管部３４は、特許請求の範囲の水供給部を構成している。
【００１３】
水管部３４は、排気通路１４を形成する排気管部１３を貫いている。水噴射ノズル３５は、図２に示すように水管部３４の排気通路１４側の端部に接続している。水噴射ノズル３５は、内側に水通路３６に接続する水ノズル通路３７、および先端に水を噴射する噴出口３８を形成している。噴出口３８は、水ノズル通路３７の先端に位置し、排気通路１４に露出している。水噴射ノズル３５は、供給装置１１の噴射ノズル２５の近傍に設けられている。水噴射ノズル３５は、噴射ノズル２５の噴孔２８に向けて水を噴射する。これにより、水噴射ノズル３５から噴射された水は、噴射ノズル２５の噴孔２８の周囲に吹き付けられる。本実施形態の場合、水噴射ノズル３５に接続する水管部３４は、噴射ノズル２５に接続する尿素水管部２４と概ね並列して設けられている。水噴射ノズル３５は、水管部３４の端部から噴出口３８が噴孔２８と対向するように噴射ノズル２５側へ傾斜して接続している。
【００１４】
排気浄化システム１０は、例えばＥＣＵ（Electronic Control Unit）などの制御装置４０を備えている。制御装置４０は、図示しないＣＰＵ、ＲＯＭおよびＲＡＭから構成されているマイクロコンピュータを有している。制御装置４０は、例えばアクセル開度センサ４１や回転数センサ４２などに接続されている。制御装置４０は、これらのアクセル開度センサ４１や回転数センサ４２などから出力された信号に基づいて、図示しないインジェクタからの燃料噴射量を設定するとともに、図示しない内燃機関の運転状態を検出する。また、制御装置４０は、排気温度検出手段である温度センサ４３に接続している。温度センサ４３は、排気通路１４に設けられており、排気通路１４を流れる排気の温度を検出する。制御装置４０は、アクセル開度センサ４１や回転数センサ４２で検出される内燃機関の運転状態、および排気通路１４を流れる排気の温度に基づいて、尿素水ポンプ２２、開閉弁２３、水ポンプ３２および開閉弁３３などを制御する。これにより、制御装置４０は、噴射ノズル２５から噴射する尿素水の圧力および噴射の時期、ならびに水噴射ノズル３５から噴射する水の圧力および噴射の時期を制御する。
【００１５】
上記の構成による供給装置１１の作動について図３に基づいて説明する。
図示しない内燃機関の運転が開始され、尿素水を噴射する時期になると、制御装置４０は尿素水の噴射を実施する。このとき、制御装置４０は、アクセル開度センサ４１で検出したアクセルペダルの踏み込み量や回転数センサ４２で検出した内燃機関の回転数、ならびに温度センサ４３で検出した排気の温度などに基づいて、尿素水を噴射するか否かを判断する。その結果、尿素水を噴射する場合、制御装置４０は尿素水ポンプ２２を駆動して尿素水タンク２１に貯えられている尿素水を加圧するとともに、開閉弁２３により尿素水管部２４を開放し、尿素水を噴射ノズル２５へ供給する。これにより、尿素水タンク２１から供給された尿素水は、噴射ノズル２５の噴孔２８から排気通路１４を流れる排気に向けて噴射される。
【００１６】
制御装置４０は、アクセル開度センサ４１や回転数センサ４２で検出した内燃機関の運転状態に基づいて、尿素水の噴射圧力を低圧または高圧に切り換える。例えば内燃機関が負荷の大きな状態で運転されるとき、排気の流量は増大し、排気の圧力は上昇する。そこで、制御装置４０は、内燃機関の負荷が所定よりも大きいとき、より高圧の尿素水を噴射する。制御装置４０は、尿素水ポンプ２２による尿素水の加圧量を変更して、噴射ノズル２５から噴射される尿素水の圧力を制御する。噴射ノズル２５から尿素水が噴射されているとき、制御装置４０は水ポンプ３２の駆動を停止するとともに開閉弁３３により水管部３４を閉鎖している。そのため、噴射ノズル２５から尿素水が噴射されている間、水噴射ノズル３５から水は噴射されない。
【００１７】
図示しない内燃機関の運転の停止にともない噴射ノズル２５からの尿素水の噴射が停止すると、制御装置４０は水噴射ノズル３５から水を噴射する。このとき、図３に示すように制御装置４０は、水噴射ノズル３５から水を断続的に複数回に分けて噴射する。水噴射ノズル３５の噴出口３８は、噴射ノズル２５の噴孔２８に対向している。そのため、水噴射ノズル３５の噴出口３８から噴射された水は、噴射ノズル２５の噴孔２８へ向けて吹き付けられる。
【００１８】
噴射ノズル２５の噴孔２８の周囲すなわち噴孔２８の出口側には、噴孔２８から噴射される尿素水の一部が付着する。排気通路１４は、内燃機関の排気が流れるため、内燃機関の運転状態によっては数百℃程度の高温となる。噴孔２８の出口側に付着した尿素水は、このような高温の排気に晒されることにより、水分が蒸発したり、化学変化が生じる。その結果、噴孔２８の出口側には、尿素水に含まれる尿素を由来とする析出物２９が析出する。析出した析出物２９は時間の経過とともに成長するため、噴孔２８の出口側には図２に示すように析出物２９が堆積する。水噴射ノズル３５から噴孔２８に向けて水を吹き付けることにより、噴孔２８の出口側に付着した尿素水は洗い流されるとともに、噴孔２８の出口側に析出した析出物２９は除去される。噴孔２８の出口側に析出および堆積する析出物２９は、水に可溶の成分および水に不溶または難溶の成分を含んでいる。水噴射ノズル３５から水を噴射することにより、水に可溶性の成分からなる析出物２９は水に溶解し、噴孔２８の出口側から除去される。一方、水に不溶または難溶の成分からなる析出物２９は、水噴射ノズル３５から噴射された水の物理的なエネルギーによって破壊される。その結果、水に不溶または難溶の成分からなる析出物２９も、噴孔２８の出口側から除去される。
【００１９】
このように水に不溶または難溶の成分からなる析出物２９を水噴射ノズル３５から噴射した水で破壊する場合、水が有する物理的なエネルギーは水の圧力に比例する。すなわち、噴射する水の圧力が高くなるほど、破壊力は増大する。そのため、水噴射ノズル３５から噴射する水の圧力は、高いほど好ましい。しかし、噴射に必要な水の量も水の圧力に比例するため、水の圧力を高めると、必要となる水の総量が増大し、水を貯える水タンク３１の大型化などを招く。そこで、水噴射ノズル３５から断続的に水を噴射することにより、噴射される水の圧力を確保すなわち破壊力を維持しつつ、噴射される水の総量の低減が図られる。
【００２０】
また、制御装置４０は、水噴射ノズル３５から噴射される水の圧力すなわち水ポンプ３２による水の加圧量を制御する。上述のように噴射ノズル２５の噴孔２８の出口側に析出する析出物２９は、噴射する水のエネルギーが大きくなるほど破壊が促進される。一方、噴射ノズル２５の噴孔２８の出口側に析出する析出物２９は、内燃機関の運転状態に応じてその量が変化する。例えば内燃機関が大きな負荷で運転されるとき、燃焼温度が上昇し、排気に含まれるＮＯｘ量は増大する。そのため、還元すべきＮＯｘ量に応じて噴射ノズル２５から噴射される尿素水の量も増加し、噴射ノズル２５の噴孔２８の出口側に付着する尿素水の量も増加する。また、噴射ノズル２５から噴射される尿素水の量が多くなるとき、燃焼温度の上昇にともない排気の温度も上昇するため、噴射ノズル２５の噴孔２８の出口側に付着した尿素水は排気の熱による水分の蒸発および化学変化が促進される。その結果、内燃機関の運転時の負荷が大きなとき、噴射ノズル２５の噴孔２８の出口側には析出物２９が堆積しやすくなる。これに対し、内燃機関の運転時の負荷が小さなとき、負荷が大きな場合と比較して排気の温度も低下し、噴射ノズル２５の噴孔２８の出口側に堆積する析出物２９が減少する。以上のように、噴射ノズル２５の噴孔２８の出口側に堆積する析出物２９は、内燃機関の運転時における負荷、すなわち排気通路１４を流れる排気の温度に相関する。
【００２１】
そこで、制御装置４０は、アクセル開度センサ４１や回転数センサ４２で検出した内燃機関の運転状態、および温度センサ４３で検出した内燃機関の運転時における排気の温度に基づいて、噴射ノズル２５の噴孔２８から噴射される尿素水の量を算出するとともに、噴孔２８の出口側に析出する析出物２９の量を推定する。そして、推定される析出物２９の析出量が任意の所定値よりも多いと考えられるとき、制御装置４０は水ポンプ３２によって水をより高圧に加圧する。これにより、水噴射ノズル３５からは、噴射ノズル２５の噴孔２８に向けて比較的高圧の水が噴射される。一方、推定される析出物２９の析出量が任意の所定値よりも少ないと考えられるとき、制御装置４０は水ポンプ３２によって水をより低圧に加圧する。これにより、水噴射ノズル３５からは、噴射ノズル２５の噴孔２８に向けて比較的低圧の水が噴射される。なお、尿素水の圧力および水の圧力は、例示したように高圧および低圧の二段階に限らず、三段階以上に切り換えてもよい。
【００２２】
以上説明したように、本発明の第１実施形態では、水噴射ノズル３５から噴射された水は、噴射ノズル２５の噴孔２８の出口側に吹き付けられる。そのため、噴孔２８の出口側に析出および堆積した析出物２９は、水に溶解するだけでなく、水の物理的なエネルギーによって破壊される。すなわち、噴射ノズル２５の噴孔２８から尿素水の噴射が終了した後、水噴射ノズル３５から噴孔２８へ向けて水を噴射することにより、噴孔２８の出口側に付着した尿素水は洗浄され、噴孔２８の出口側に堆積した析出物２９は除去される。これにより、噴孔２８の出口側における析出物２９の堆積は低減される。したがって、噴孔２８の出口側への析出物２９の析出を低減することができ、析出物２９が析出したとしてもその析出物２９を除去することができる。また、噴孔２８の周辺の析出物２９を除去することにより、析出物２９の堆積による噴孔２８の目詰まりおよび予期しない不適切な方向への尿素水の噴射を低減することができる。
【００２３】
また、第１実施形態では、水噴射ノズル３５から噴射される水の圧力は、内燃機関の運転状態などに基づいて変化する。そのため、例えば内燃機関の運転時における負荷が大きく、噴孔２８の出口側により多くの析出物２９の析出が考えられるとき、内燃機関の運転時における負荷が小さな場合と比較して高圧の水が噴射される。具体的には、排気通路１４を流れる排気の温度が高くなるほど、供給する水の圧力を高める。排気通路１４を流れる排気の温度は、内燃機関の負荷によって変化する。また、排気の温度が上昇すると、ＮＯｘの生成量が増大するため、尿素水の噴射量も増加する。このように尿素水の噴射量が増加すると、噴孔２８の出口側に付着する尿素水、および析出する析出物２９も増加する。そこで、圧力の高い水を噴孔２８へ向けて噴射することにより、付着量が増加した尿素水の洗浄、および析出量の増加した析出物２９の除去が促進される。したがって、内燃機関の運転に応じて、噴孔２８の出口側の洗浄および析出物２９の除去を図ることができる。
【００２４】
さらに、第１実施形態では、噴孔２８に対向して設けられている水噴射ノズル３５から水が噴射される。これにより、水噴射ノズル３５から噴射された水は、容易かつ確実に噴孔２８に吹き付けられる。したがって、噴孔２８の出口側を洗浄および析出した析出物２９を除去することができる。
【００２５】
（第２実施形態）
本発明の第２実施形態による排気浄化システムの要部を図４に示す。
第２実施形態では、図４に示すように供給装置１１は、尿素水噴射部１５の尿素水管部２４と水噴射部１６の水管部３４とが同軸上に配置されている。すなわち、尿素水通路２６を形成する尿素水管部２４の外周側に水管部３４が設けられ、尿素水管部２４と水管部３４との間に水通路３６が形成されている。同軸上に配置されている尿素水管部２４および水管部３４は、排気管部１３を径方向へ貫く縦管部５１と、縦管部５１の径方向内側の端部から排気の流れ方向において下流側へ排気管部１３の軸方向へ延びる横管部５２とから構成されている。尿素水管部２４と水管部３４との間は、支持部５３によって支持されている。
【００２６】
尿素水管部２４および水管部３４の横管部５２の端部には、ノズルキャップ６０が設けられている。ノズルキャップ６０は、図５に示すように径方向の中心部に尿素水通路２６に接続する尿素水噴射ノズルとしての噴射ノズル６１を有している。噴射ノズル６１の先端は、排気通路１４に露出して尿素水を噴射する噴孔６２である。そして、ノズルキャップ６０は、この噴射ノズル６１の径方向外側に水通路３６に接続する水噴射ノズル６３を有している。水噴射ノズル６３は、噴射ノズル６１に対し傾斜しており、その先端に噴出口６４を形成している。噴出口６４は、噴孔６２の径方向外側に形成されている。第２実施形態の場合、水噴射ノズル６３は特許請求の範囲の水噴射部を構成している。
【００２７】
本実施形態の場合、噴出口６４は噴孔６２の径方向外側に四つ設けられている。図５に示すように噴射ノズル６１の中心軸Ｃ１を含む断面において噴射ノズル６１の中心軸Ｃ１と、中心軸Ｃ１と平行であって噴出口６４において水噴射ノズル６３の中心軸と交わる仮想直線Ｃ２とは、ノズルキャップ６０の径方向にずれて配置されている。噴孔６２からは、噴孔６２を含む噴射ノズル６１の中心軸Ｃ１に対し角度αの範囲で尿素水が噴射される。一方、噴孔６２の中心軸Ｃ１と噴出口６４の仮想直線Ｃ２とをずらして配置することにより、噴出口６４（図５において噴孔６２の下方の噴出口６４）からは尿素水の噴射角度αに角度βを加えた水噴射角度θ＝α＋βで水が噴射される。ここで、角度βは、噴射ノズル６１に対する水噴射ノズル６３の傾斜角度に対応する。これにより、噴孔６２の出口側に付着する尿素水や析出物２９は、噴出口６４から噴射された水によって確実に除去される。
【００２８】
また、図６に示すように水噴射ノズル６３の中心軸Ｃ３は、噴射ノズル６１の先端に形成される噴孔６２の接線方向へ設けられている。すなわち、噴出口６４を形成する水噴射ノズル６３は、噴孔６２を形成する噴射ノズル６１に対して角度γの位置にオフセットされている。これにより、各水噴射ノズル６３の先端に形成された噴出口６４からは、互いに噴射ノズル６１の中心軸Ｃ１を中心として旋回状に水が噴射される。その結果、各噴出口６４から噴射された水は、互いに干渉することなく噴孔６２の出口側に吹き付けられる。
【００２９】
第２実施形態では、噴孔６２の径方向外側に水を噴射する噴出口６４を配置している。そのため、噴出口６４から噴射された水は、噴孔６２の出口側へ確実に吹き付けられる。また、この構成により、噴孔６２と噴出口６４とは近接して配置される。そのため、噴出口６４から噴射された水は、より確実に噴孔６２の出口側に吹き付けられる。したがって、噴孔６２の出口側への尿素水の付着、および尿素水を由来とする析出物２９の堆積を低減することができ、噴孔６２の目詰まり、および予期しない方向への尿素水の噴射を確実に低減することができる。
【００３０】
以上説明した本発明は、上記実施形態に限定されるものではなく、その要旨を逸脱しない範囲で種々の実施形態に適用可能である。
【図面の簡単な説明】
【００３１】
【図１】本発明の第１実施形態による尿素水供給装置を適用した排気浄化システムを示す模式図
【図２】本発明の第１実施形態による尿素水供給装置の要部の断面を示す模式図
【図３】本発明の第１実施形態による尿素水供給装置の作動タイミングを示す概略図
【図４】本発明の第２実施形態による尿素水供給装置の要部の断面を示す模式図
【図５】図４のノズルキャップ近傍を拡大した図
【図６】図５の矢印ＶＩ方向から見た矢視図
【符号の説明】
【００３２】
図面中、１１は供給装置（尿素水供給装置）、１４は排気通路、１６は水噴射部、２５は噴射ノズル（尿素水噴射ノズル）、２８は噴孔、３１は水タンク（水供給部）、３２は水ポンプ（水供給部）、３３は開閉弁（水供給部）、３４は水管部（水供給部）、６１は噴射ノズル（尿素水噴射ノズル）、６２は噴孔、６３は水噴射ノズル（水噴射部）を示す。
【図１】
2010090836.tif 000003
【図２】
2010090836.tif 000004
【図３】
2010090836.tif 000005
【図４】
2010090836.tif 000006
【図５】
2010090836.tif 000007
【図６】
2010090836.tif 000008